(57)【要約】【課題】    従来、宅地、幼稚園、又は幼児、子供が生活する場所にあるプラスチック蓋に関して、改良が望まれている。一例は、指先を差込むための凹部を封鎖する手段である。理由は、幼児が、凹部に指先を掛けて取外し、転落事故が発生する等の事例が発生している。また、外したままでは、大変危険である。また、凹部を、プラスチック蓋を簡易に取外すための手段として、重宝することから、埋めることは機能上で認められない。その改良のために、本発明がある。【解決手段】    本発明は、地面に開口するマンホールの開口部に嵌合される蓋に、一個、又は複数個設けた人の指先が掛かる凹部を備えた取手用の穴に取付けるカバー容器は、凹部をカバーする底を備えるマンホールの穴カバー容器である。従って、凹部の有効性と、凹部の役割を担いつつ、誤った所作で発生する危険性の解消が図れる特徴がある。【選択図】      図１
2018150685.tif 000002
【特許請求の範囲】
【請求項１】
地面に開口するマンホールの開口部に嵌合される蓋と、
この蓋に、一個、又は複数個設けた人の指先が掛かる凹部を備えた取手用の穴と、
この取手用の穴に取付けるカバー容器と、
このカバー容器は、前記凹部をカバーする底部を備えることを特徴としたマンホールの穴カバー容器。
【請求項２】
前記カバー容器の外底と、前記取手用の穴の底部との間に隙間を形成することを特徴とした請求項１に記載のマンホールの穴カバー容器。
【請求項３】
前記カバー容器には、このカバー容器を、前記取手用の穴に、固定するための手段を備えていることを特徴とした請求項１に記載のマンホールの穴カバー容器。
【請求項４】
前記手段は、止め具、接着剤、カシメ、凹凸嵌合、又は前記カバー容器が、前記取手用の穴に嵌合の何れかの構造とすることを特徴とする請求項３に記載のマンホールの穴カバー容器。
【請求項５】
前記取手用の穴は、手を差込む側が、第一スロープ曲面で、前記凹部を備えた凹部側が、入口より底部に向って、順に、第一垂直入口と、この第一垂直入口に続く凹部と、この凹部に続く前記底部とでなることを特徴とする請求項１に記載のマンホールの穴カバー容器。
【請求項６】
前記カバー容器は、前記第一スロープ曲面と相似形の第二スロープ曲面と、前記垂直部１０３と一部が接触し、かつ前記凹部と、前記底部より離間した第三スロープ曲面でなることを特徴とする請求項１に記載のマンホールの穴カバー容器。
【発明の詳細な説明】
【技術分野】
【０００１】
本発明は、マンホールの穴カバー容器に関する。
【背景技術】
【０００２】
マンホールの筐体の開口部を封鎖するための（開口部に嵌合される）蓋は、公共の道路用の鉄蓋と、宅地用のプラスチック蓋（ポリプロピレン蓋）とに大別される。そして、この蓋には、取付け、取外し用、又は運搬用の貫通穴とか、取付け、取外し用の有底穴、又は取付け、取外し用の有底穴で、指先を差込むための凹部を備えた有底穴等を備えている。
【０００３】
本発明は、望ましくは、指先を差込むための凹部を備えた有底穴を備えたプラスチック蓋（以下、プラスチック蓋とする）を一例として説明するが、限定されず、他のマンホール蓋にも採用できる。
【０００４】
プラスチック蓋は、宅地とか、幼稚園、又は幼児、子供が生活する場所にあるマンホール用として使用されている。その際に、改良が望まれている構造がある。その一例が、指先を差込むための凹部を封鎖する手段である。理由は、幼児が、凹部に指先を掛けて取外し、転落事故が発生する等の事例が発生している。また、外したままでは、大変危険である。また、凹部を、プラスチック蓋を簡易に取外すための手段として、重宝することから、埋めることは機能上で認められない。
【０００５】
そこで、本発明が意図する凹部を一時的に埋める（凹部を隠蔽する）マンホールの穴カバー容器と、これに関連するカバー容器（カバー手段）に関する先行文献を考える。文献（１）は、凹部を一時的にカバーする容器でないが、穴全体をカバーする容器（構造）として、貫通穴にクランプ金具（５）とゴムカバー（３７）とを、止め具（２５、２６等）を利用し、封鎖するマンホール蓋装置が開示されている（特開２０１４−１７３３６５号）。この発明は、明細書〔０００１〕に記載の如く、マンホール蓋の飛散防止である。その他として、文献（２）は、蓋に工具を挿入する有底丸穴（２３）と手を挿入する有底長穴（２４）とを有する排水桝用蓋が開示されている（実開平６−１４８７号）。この考案は、明細書〔０００５〕に記載の如く、蓋の開閉を容易とすることにある。
【０００６】
【特許文献１】特開２０１４−１７３３６５号公報
【特許文献２】実開平６−１４８７号公報
【０００７】
前述の文献（１）と文献（２）とは、ともにマンホールの蓋の改良であり、本発明が意図する「蓋の指先が掛かる凹部を一時的に埋めるための穴カバー容器」とは、意図と内容が異なると考えられる。
【発明の概要】
【発明が解決しようとする課題】
【０００８】
本発明は、前述の蓋の付属品、即ち、「蓋の指先が掛かる凹部を一時的に埋めるための穴カバー容器」に関しての改良であり、これまでに、考えられなかった凹部の有効性と、この凹部の役割を担いつつ、誤った所作で発生する危険性の解消にある。
【課題を解決するための手段】
【０００９】
本発明は、前述の凹部の有効性と、この凹部の役割を担いつつ、誤った所作で発生する危険性の解消が図れる、請求項１〜７を提案することにある。
【発明の効果】
【００１０】
請求項１の発明では、地面に開口するマンホールの開口部に嵌合される蓋と、
この蓋に、一個、又は複数個設けた人の指先が掛かる凹部を備えた取手用の穴と、
この取手用の穴に取付けるカバー容器と、
このカバー容器は、前記凹部をカバーする底部を備えるマンホールの穴カバー容器であり、この凹部の有効性と、この凹部の役割を担いつつ、誤った所作で発生する危険性の解消が図れる等の特徴がある。
【００１１】
請求項２の発明では、前記カバー容器の外底と、前記取手用の穴の底部との間に離間（空間）を形成するマンホールの穴カバー容器であり、請求項１の特徴に併せて、容器の、例えば、衝撃損傷防止に有効である。
【００１２】
請求項３の発明では、前記カバー容器には、このカバー容器を、前記取手用の穴に、固定するための手段を備えているマンホールの穴カバー容器であり、請求項１の特徴に併せて、容器の、例えば、悪質な取外しにたいしても有効性が担持できる。
【００１３】
請求項４の発明では、前記手段は、止め具、接着剤、カシメ、凹凸嵌合、又は前記カバー容器が、前記取手用の穴に嵌合の何れかの構造とするマンホールの穴カバー容器であり、請求項１と、請求項３と同じように有効である。
【００１４】
請求項５の発明では、前記取手用の穴は、手を差込む側が、第一スロープ曲面で、前記凹部を備えた凹部側が、入口より底部に向って、順に、第一垂直入口と、この第一垂直入口に続く凹部と、この凹部に続く前記底部とでなるカバー容器であり、請求項１の特徴に併せて、カバー容器は、蓋に設けた指先が掛かる凹部の形状確保と、凹部への衝撃損傷防止に有効な凹部の構造を提供できる。
【００１５】
請求項６の発明では、前記カバー容器は、前記第一スロープ曲面と相似形の第二スロープ曲面と、前記垂直部１０３と一部が接触し、かつ前記凹部と、前記底部より離間した第三スロープ曲面でなるマンホールの穴カバー容器であり、請求項１と請求項５との特徴に併せて、カバー容器は、蓋に設けた指先が掛かる凹部の保護と、凹部への衝撃損傷防止に有効である。
【図面の簡単な説明】
【００１６】
【図１】マンホールと、その蓋とを示した装置の一例であって、その要部の一部省略の縮尺俯瞰図
【図２】本発明のカバー容器（差込み凹部被嵌容器、又は凹部嵌合容器）を取手用の穴に差込んだ（挿入、被嵌等して設けた）平面図
【図３】蓋の断面図
【図４−１】カバー容器の拡大斜視図
【図４−２】カバー容器の拡大平面図
【図５−１】カバー容器を取手用の穴に差込んだ断面図
【図５−２】図５−１の要部の拡大した図
【図６】（イ）〜（ホ）は、カバー容器と取手用の穴との取付け関係を、それぞれ示した断面図
【図７】本発明のカバー容器を取付けた状態で、カバー容器に指先を差込んでも、取手用の穴に接触せず、蓋を外すことできない状態を示した断面模式図
【図８−１】従来の取手用の穴を備えた蓋をしめした平面図
【図８−２】従来の取手用の穴に、指先を差込んで、蓋を外しできる状態を示した断面模式図
【発明を実施するための形態】
【００１７】
図１において、マンホールと、その蓋とを示した装置（マンホール装置Ａ）の一例において、図中Ａ１は、マンホール装置Ａの下水道管に通じた立上げ管で、立上げ管の上部のフランジ部Ａ１０には、蓋受け枠Ａ２が固定される。また、蓋受け枠Ａ２の開口部Ａ２０には、筐体Ａ３が嵌合支持されるとともに、蓋受け枠Ａ２の上面の環状枠片Ａ２１は、筐体Ａ３のフランジ部Ａ３０を支持する。そして、この筐体Ａ３のフランジ部Ａ３０には、マンホールの蓋１が嵌合支持される。この構造では、内フランジ部Ａ２２は、マンホールの蓋１を支持する。この一例の構造では、内フランジ部Ａ２２の開口部は、マーホールの開口部となるが、限定されない。
【００１８】
図３に示したマンホールの蓋１の取手用の穴２（本発明では、有底窪みであるが、限定されず、例えば、貫通穴でもよい）の一例に関して説明すると、原則として、左右対の穴２を備えている。穴２は、それぞれ対の外側２ａ、２ｂ（環状輪郭）より、中心に向かった形状を説明すると、手を差込む側の第一スロープ曲面１００と、この第一スロープ曲面１００に一方側（始端）が繋がる平坦な底部１０１と、底部１０１の中心の他面側（底部１０１の終端）より、上面１ａに向かった指先掛け用の凹部１０２（人の指先が掛かる凹部）と、この凹部１０２より上面１ａに到る垂直部１０３（第一垂直入口）とで構成した、断面視して、半截の略ブーメラン形を呈する。
【００１９】
そして、図４−１と図４−２に示した本発明のカバー容器３は、マンホールの蓋１に設けた穴２に差込まれる、このカバー容器３は、前記第一スロープ曲面１００と相似形の第二スロープ曲面３００と、前記垂直部１０３と一部が接触し、かつ前記凹部１０２と、前記底部１０１より離間３０２した第三スロープ曲面３０１とでなる。図中３０３、３０４は、カバー容器３の両側面であり、全体視して（第二スロープ曲面３００と、第三スロープ曲面３０１、及び両側面３０３、３０４によって）、船形を呈し、ポケット３０５を形成する。そして、第二スロープ曲面３００が、第三スロープ曲面３０１に対して、スロープの長さＸが長く形成されている。そして、図５−１と図５−２で示すように、穴２にカバー容器３を差込んだ状態では、第一スロープ曲面１００には第二スロープ曲面３００が添接し、垂直部１０３には、第三スロープ曲面３０１の一部が接触し、かつ凹部１０２と、底部１０１の略全体より離間３０２した（空間を形成するようにした）状態で第三スロープ曲面３０１の他部が支持される。尚、離間３０２を設けて、カバー容器３に緩衝効果を付与することで、このカバー容器３への衝撃緩和とか、肉厚の軽減化、又は取外しの簡便化等に役立つと考えられる。カバー容器３は、プラスチック製が好ましく、例えば、肉薄で１ｍｍ〜３ｍｍとし、望ましくは、１．５ｍｍとする。また、蓋１のポリプロピレン樹脂と、同質か、又は異質かにする。また、カバー容器３は、可撓性か硬質性かは問わない。しかし、硬質性が、本発明の機能、例えば、後述する差込み固定において望ましい。さらには、カバー容器３は、カラー・柄等のバリエーションも有り得る。
【００２０】
この穴２にカバー容器３を差込んだ状態は、図１と、図５−１、図５−２と、図６（イ）〜（ハ）等に図示されている。この状態では、凹部１０２はカバー容器３で隠蔽されており、図７に示すように、指先が差込まれる（達する）のは、ポケット３０５迄であり、カバー容器３の下側には至らず、当然、凹部１０２に掛からず、蓋１を取外すことは、極めて困難である。尚、カバー容器３を取外すのは、後述する各種の取付けに相応した、例えば、スパナーの差込み操作、螺子回し操作、緊急時の破壊等の方法がある。
【００２１】
図６の（イ）〜（ハ）は、カバー容器３と取手用の穴２との（凹部１０２を隠蔽する）取付け関係を、それぞれ示した断面図を利用して、好ましい、一例を説明する。（イ）は、接着剤１０を利用して取付ける（固定、固着等する）構造である。（ロ）は、取付具１１を利用して螺子込みして取付ける構造である。（ハ）は、穴２より大きくしたカバー容器３を圧嵌１２して取付ける構造である。（ニ）は凹凸嵌合３を利用して取付ける構造である。（ホ）は、係合止具１４（クリップ止め具、差込み止め具、割りピン等）を利用して取付ける（固定する）構造である。
【００２２】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００２３】
１  蓋
１ａ  上面
１００  第一スロープ曲面
１０１  底部
１０２  凹部
１０３  垂直部
２  取付け穴
３  カバー容器
３００  第二スロープ曲面
３０１  第三スロープ曲面
３０２  離間
３０３  側面
３０４  側面
３０５  ポケット
１０  接着剤
１１  取付具
１２  圧嵌
１３  凹凸嵌合
１４  係合止具
Ａ  マンホール装置
Ａ１  立上げ管
Ａ１０  フランジ部
Ａ２  蓋受け枠
Ａ２０  開口部
Ａ２１  環状枠片
Ａ２２  内フランジ部
Ａ３  筐体
Ａ３０  フランジ部
Ｘ  長さ
【図１】
2018150685.tif 000003
【図２】
2018150685.tif 000004
【図３】
2018150685.tif 000005
【図４−１】
2018150685.tif 000006
【図４−２】
2018150685.tif 000007
【図５−１】
2018150685.tif 000008
【図５−２】
2018150685.tif 000009
【図６】
2018150685.tif 000010
【図７】
2018150685.tif 000011
【図８−１】
2018150685.tif 000012
【図８−２】
2018150685.tif 000013